(57)【要約】【課題】簡単画面で設定できない機能を簡単画面で容易に確認する。【解決手段】ファクシミリ装置１は、一部の機能を設定可能な簡単画面１４を表示するタッチパネル６と、予め登録した機能を記憶するシステムメモリ１２と、システムメモリ１２から登録した機能を呼び出すワンタッチキー０００１と、ワンタッチキー０００１で呼び出された機能の少なくとも一部が簡単画面１４で設定できない機能を含んでいる場合、簡単画面１４で設定できない機能を表示するよう制御する画面制御手段１３と、を備える。【選択図】図１
2011028329.tif 000002
【特許請求の範囲】
【請求項１】
一部の機能を設定可能な簡単画面を表示する表示手段と、
予め登録した機能を記憶する記憶手段と、
前記記憶手段から登録した機能を呼び出す呼出手段と、
前記呼出手段で呼び出された機能の少なくとも一部が前記簡単画面で設定できない機能を含んでいる場合、前記簡単画面で設定できない機能を表示するよう制御する画面制御手段と、を備えることを特徴とする情報処理装置。
【請求項２】
前記画面制御手段は、
前記呼出手段で呼び出された機能の少なくとも一部が前記簡単画面で設定できない機能であり、前記簡単画面で設定できない機能の設定が呼び出す前の設定と異なる場合、前記簡単画面で設定できない機能を表示するよう制御することを特徴とする請求項１に記載の情報処理装置。
【請求項３】
前記画面制御手段は、
前記呼出手段で呼び出された機能の少なくとも一部が前記簡単画面で設定できない機能であり、前記簡単画面で設定できない機能の設定が初期値と異なる場合、前記簡単画面で設定できない機能を表示するよう制御することを特徴とする請求項１に記載の情報処理装置。
【請求項４】
前記画面制御手段は、
前記簡単画面で設定できない機能を別画面にまとめて表示するよう制御することを特徴とする請求項１〜３に記載の情報処理装置。
【請求項５】
前記画面制御手段は、
前記別画面を表示するための釦を前記簡単画面に追加するよう制御することを特徴とする請求項４に記載の情報処理装置。
【請求項６】
前記画面制御手段は、
前記簡単画面で設定できない機能の設定が初期値と等しい場合、前記簡単画面で設定できない機能を表示しないよう制御することを特徴とする請求項２に記載の情報処理装置。
【請求項７】
前記画面制御手段は、
前記簡単画面で設定できない機能の設定が呼び出す前の設定と等しい場合、前記簡単画面で設定できない機能を表示しないよう制御することを特徴とする請求項３に記載の情報処理装置。
【請求項８】
前記簡単画面で設定できない機能の設定変更が可能とされていることを特徴とする請求項１に記載の情報処理装置。
【請求項９】
前記簡単画面で設定できない機能が前記呼出手段で呼び出されない場合、前記画面制御手段は、前記簡単画面で設定できない機能を表示せずに、前記簡単画面で設定できる機能の設定値の反映を前記簡単画面に対して行うことを特徴とする請求項１に記載の情報処理装置。
【請求項１０】
画像送受信機能、画像読み取り機能、および複写機能のうち少なくとも１つの機能を備えていることを特徴とする請求項１に記載の情報処理装置。
【請求項１１】
一部の機能を設定可能な簡単画面を表示するステップと、
予め登録した機能が呼び出されたとき、前記呼び出された機能の少なくとも一部が前記簡単画面で設定できない機能を含んでいる場合、前記簡単画面で設定できない機能を表示するステップと、をコンピュータに実行させるためのプログラム。
【請求項１２】
前記簡単画面で設定できない機能が呼び出されない場合、前記簡単画面で設定できない機能を表示せずに、前記簡単画面で設定できる機能の設定値の反映を前記簡単画面に対して行うステップと、をコンピュータに実行させるための請求項１１に記載のプログラム。
【発明の詳細な説明】
【技術分野】
【０００１】
本発明は、情報処理装置およびプログラムに関する。
【背景技術】
【０００２】
従来、コピー機能、ファクシミリ機能、スキャナ機能、およびこれらの複合機能を有する情報処理装置において、コピー機能やファクシミリ機能などを簡単に操作可能な画面に関する技術が開示されている。この簡単に操作可能な画面では、設定できる機能をいくつかに絞って表示することで、複雑な機能を必要としないユーザーに簡単で分かりやすい操作を提供している。よって、ユーザーがこの簡単画面に表示されていない機能を使用したい場合には、通常の画面に切り替えて設定を行う必要がある。
【０００３】
簡単画面に関する技術は、例えば、特許文献１〜３に開示されている。特許文献１に記載の発明では、多様な機能を設定可能な標準画面から、その一部の限られた機能を設定可能な簡易画面に切り替える際に、標準画面でしか設定できない機能があった場合に、その機能をそのまま保持するか、あるいは標準画面でしか設定できない機能があることを表示することで、ユーザーにその旨を知らせている。
【０００４】
特許文献２に記載の発明では、各種機能を設定できる設定画面の表示を終了する際に、設定内容が簡単画面に関連なく標準画面に関連することが検知されると、標準画面を強制的に表示させている。また、特許文献３に記載の発明では、標準画面と簡単画面とを切り替えるときに、標準画面または簡単画面において設定された設定項目の値を所定の値にリセットしている。
【先行技術文献】
【特許文献】
【０００５】
【特許文献１】特許第３４６７１３８号公報
【特許文献２】特開平１０−４９００１号公報
【特許文献３】特開平２００７−７４６７６号公報
【発明の概要】
【発明が解決しようとする課題】
【０００６】
本発明は、簡単画面で設定できない機能を容易に確認することができる技術を提供することを目的とする。
【課題を解決するための手段】
【０００７】
請求項１に記載の発明は、一部の機能を設定可能な簡単画面を表示する表示手段と、予め登録した機能を記憶する記憶手段と、前記記憶手段から登録した機能を呼び出す呼出手段と、前記呼出手段で呼び出された機能の少なくとも一部が前記簡単画面で設定できない機能を含んでいる場合、前記簡単画面で設定できない機能を表示するよう制御する画面制御手段と、を備えることを特徴とする情報処理装置である。
【０００８】
請求項２に記載の発明は、請求項１に記載の発明において、前記画面制御手段は、前記呼出手段で呼び出された機能の少なくとも一部が前記簡単画面で設定できない機能であり、前記簡単画面で設定できない機能の設定が呼び出す前の設定と異なる場合、前記簡単画面で設定できない機能を表示するよう制御することを特徴とする。
【０００９】
請求項３に記載の発明は、請求項１に記載の発明において、前記画面制御手段は、前記呼出手段で呼び出された機能の少なくとも一部が前記簡単画面で設定できない機能であり、前記簡単画面で設定できない機能の設定が初期値と異なる場合、前記簡単画面で設定できない機能を表示するよう制御することを特徴とする。
【００１０】
請求項４に記載の発明は、請求項１〜３に記載の発明において、前記画面制御手段は、前記簡単画面で設定できない機能を別画面にまとめて表示するよう制御することを特徴とする。
【００１１】
請求項５に記載の発明は、請求項４に記載の発明において、前記画面制御手段は、前記別画面を表示するための釦を前記簡単画面に追加するよう制御することを特徴とする。
【００１２】
請求項６に記載の発明は、請求項２に記載の発明において、前記画面制御手段は、前記簡単画面で設定できない機能の設定が初期値と等しい場合、前記簡単画面で設定できない機能を表示しないよう制御することを特徴とする。
【００１３】
請求項７に記載の発明は、請求項３に記載の発明において、前記画面制御手段は、前記簡単画面で設定できない機能の設定が呼び出す前の設定と等しい場合、前記簡単画面で設定できない機能を表示しないよう制御することを特徴とする。
【００１４】
請求項８に記載の発明は、請求項１に記載の発明において、前記簡単画面で設定できない機能の設定変更が可能とされていることを特徴とする。
【００１５】
請求項９に記載の発明は、請求項１に記載の発明において、前記簡単画面で設定できない機能が前記呼出手段で呼び出されない場合、前記画面制御手段は、前記簡単画面で設定できない機能を表示せずに、前記簡単画面で設定できる機能の設定値の反映を前記簡単画面に対して行うことを特徴とする。
【００１６】
請求項１０に記載の発明は、請求項１に記載の発明において、画像送受信機能、画像読み取り機能、および複写機能のうち少なくとも１つの機能を備えていることを特徴とする。
【００１７】
請求項１１に記載の発明は、一部の機能を設定可能な簡単画面を表示するステップと、予め登録した機能が呼び出されたとき、前記呼び出された機能の少なくとも一部が前記簡単画面で設定できない機能を含んでいる場合、前記簡単画面で設定できない機能を表示するステップと、をコンピュータに実行させるためのプログラムである。
【００１８】
請求項１２に記載の発明は、請求項１１に記載の発明において、前記簡単画面で設定できない機能が呼び出されない場合、前記簡単画面で設定できる機能の設定値の反映を前記簡単画面に対して行うステップと、をコンピュータに実行させる。
【発明の効果】
【００１９】
請求項１に記載の発明によれば、簡単画面で設定できない機能を容易に確認することができる。
【００２０】
請求項２に記載の発明によれば、簡単画面で設定できない機能の設定が呼び出す前の設定と異なる場合に、簡単画面で設定できない機能を確認することができる。
【００２１】
請求項３に記載の発明によれば、簡単画面で設定できない機能の設定が初期値と異なる場合に、簡単画面で設定できない機能を確認することができる。
【００２２】
請求項４に記載の発明によれば、簡単画面の本来の利便性を損なうことなく、簡単画面で設定できない機能を容易に確認することができる。
【００２３】
請求項５に記載の発明によれば、簡単画面の本来の利便性を損なうことなく、簡単画面で設定できない機能を容易に確認することができる。
【００２４】
請求項６に記載の発明によれば、簡単画面で設定できない機能の設定が初期値と違う場合に、簡単画面で設定できない機能を確認することができる。
【００２５】
請求項７に記載の発明によれば、簡単画面で設定できない機能の設定が呼び出す前の設定と違う場合に、簡単画面で設定できない機能を確認することができる。
【００２６】
請求項８に記載の発明によれば、簡単画面で設定できない機能の設定を容易に変更することができる。
【００２７】
請求項９に記載の発明によれば、簡単画面の本来の利便性を損なうことがない。
【００２８】
請求項１０に記載の発明によれば、簡単画面で設定できない画像送受信機能、画像読み取り機能、および複写機能を容易に確認することができる。
【００２９】
請求項１１に記載の発明によれば、簡単画面で設定できない機能を容易に確認できる。
【００３０】
請求項１２に記載の発明によれば、簡単画面の本来の利便性を損なうことがない。
【図面の簡単な説明】
【００３１】
【図１】第１の実施形態に係るファクシミリ装置のブロック図である。
【図２】ファクシミリ装置の簡単画面を示す図である。
【図３】簡単画面で設定できない機能を簡単画面に直接表示した図である。
【図４】別画面を表示するための釦を簡単画面に追加した図である。
【図５】簡単画面で設定できない機能を表示する別画面の一例を示す図である。
【図６】簡単画面で設定できない機能の設定変更が可能な別画面の一例を示す図である。
【図７】簡単画面で設定できない機能の設定を変更する画面の一例を示す図である。
【図８】ファクシミリ装置の動作を示すフローチャートである。
【図９】画像読取装置の簡単画面を示す図である。
【図１０】別画面を表示するための釦を簡単画面に追加した図である。
【図１１】複写装置の簡単画面を示す図である。
【図１２】別画面を表示するための釦を簡単画面に追加した図である。
【発明を実施するための最良の形態】
【００３２】
以下、情報処理装置の一例について図面を参照して説明する。
【００３３】
１．第１の実施形態
（ファクシミリ装置の構成）
以下、ファクシミリ装置の構成について説明する。図１は、第１の実施形態に係るファクシミリ装置のブロック図である。ファクシミリ装置１は、操作パネル２、コントローラ３、画像入力部４、通信部５を備えている。操作パネル２は、タッチパネル６とワンタッチキー０００１，０００２を備えている。タッチパネル６は、表示手段および位置入力手段の一例であり、液晶ディスプレイとタッチパッドを備えている。タッチパネル６は、タッチパネル６に表示する画面の画像データをコントローラ３から入力し、タッチパネル６に触れた位置情報をコントローラ３に出力する。
【００３４】
ワンタッチキー０００１，０００２は、予め登録した機能を呼び出す呼出手段の一例であり、ハードウェアによるスイッチである。ワンタッチキー０００１，０００２の押下による入力信号は、コントローラ３に入力する。なお、ワンタッチキーは、ソフトウェアによるスイッチでもよく、タッチパネル６に表示する画面内に設けてもよい。
【００３５】
コントローラ３は、ファクシミリ装置１を制御する制御基板である。コントローラ３は、パネルＩ／Ｆ（Interface）７、入力部Ｉ／Ｆ８、および出力部Ｉ／Ｆ９のインターフェースを備えている。パネルＩ／Ｆ７は、操作パネル２とコントローラ３間でデータの入出力を行い、入力部Ｉ／Ｆ８は、画像入力部４とコントローラ３間でデータの入出力を行い、出力部Ｉ／Ｆ９は、通信部５とコントローラ３間でデータの入出力を行う。また、入力部Ｉ／Ｆ８には、システムメモリ１０が接続されている。システムメモリ１０は、画像入力部４で入力した画像を一時的に記憶する半導体記憶装置である。
【００３６】
また、コントローラ３は、初期値記憶部１１、システムメモリ１２、メインＣＰＵ（Central Processing Unit）１３を備えている。初期値記憶部１１は、ＲＯＭ（Read Only Memory）などの不揮発性の半導体記憶装置である。初期値記憶部１１には、ファクシミリ装置１の初期値データが記憶されており、メインＣＰＵ１３によって読み出される。
【００３７】
システムメモリ１２は、記憶手段の一例であり、不揮発性の半導体記憶装置である。システムメモリ１２には、ファクシミリ装置１を動作させるためのプログラムやデータが格納されている。例えば、メインＣＰＵ１３をタッチパネル６の画面制御手段として機能させるためのプログラムや、ワンタッチキー０００１，０００２に登録した機能の設定データや、後述する簡単画面などの画像データが格納されている。なお、システムメモリ１２は、ハードディスクなどの磁気記憶装置で構成してもよい。
【００３８】
メインＣＰＵ１３は、システムメモリ１２および初期値記憶部１１に記憶されたプログラムおよびデータを読み出して、ファクシミリ装置１全体を制御する。なお、メインＣＰＵ１３は、画面制御手段の一例であり、システムメモリ１２から簡単画面などの画像データを読み出して、タッチパネル６に表示すると共に、タッチパネル６に触れた位置情報を入力して、その位置に対応する画面内のボタン等に関連付けられた命令を実行する。また、メインＣＰＵ１３は、ワンタッチキー０００１，０００２の押下による入力信号に基づいて、タッチパネル６に表示する画面の制御を行う。
【００３９】
画像入力部４は、送信する原稿の画像を読み取るスキャナである。画像入力部４で読み取られた画像データは、コントローラ３の入力部Ｉ／Ｆ８に入力され、システムメモリ１０に一時的に格納される。メインＣＰＵ１３は、システムメモリ１０に格納された画像データを、出力部Ｉ／Ｆ９を介して通信部５に出力する。
【００４０】
通信部５は、通信回線を介して遠隔地のファクシミリ装置と画像データを送受信するモデムである。通信部５は、コントローラ３の出力部Ｉ／Ｆ９から入力した画像データを音声帯域の信号に変調して送信するとともに、遠隔地のファクシミリ装置から受信した信号を復調して、画像データをコントローラ３の出力部Ｉ／Ｆ９に出力する。
【００４１】
（ファクシミリ装置の作用）
以下、ファクシミリ装置１の作用について説明する。図２は、ファクシミリ装置の簡単画面を示す図である。図２に示す簡単画面１４は、図１のメインＣＰＵ１３によってシステムメモリ１２から読み出され、タッチパネル６に表示される。
【００４２】
簡単画面１４で設定できる機能は、サービスを使用する上で必須なものやよく使用されるものであり、設定できない機能は、サービスを使用する上で必須でないものや使用頻度が少ないものである。図２に示す簡単画面１４では、宛先とファクシミリ装置１の一部の機能（送信画質、原稿の画質、両面原稿送り）が設定可能である。送信画質は、送信する画像の解像度であり、ｄｐｉ（dot per inch）で表される。原稿の画質は、原稿が文字のみで構成されるか、写真のみで構成されるか、または文字および写真の両方で構成されるかを表しており、この設定に基づいて画像が読み取られる。両面原稿送りは、原稿の片面を読み取るか、または両面を読み取るかを表している。
【００４３】
一方、図１のワンタッチキー０００１，０００２には、予め宛先と機能が登録される。また、ワンタッチキー０００１，０００２には、図２の簡単画面１４で設定できない機能も登録可能である。表１は、簡単画面１４で設定可能な機能と、ワンタッチキー０００１，０００２に登録可能な機能を示している。表１に示すように、ワンタッチキー０００１，０００２に登録可能な機能のうち、簡単画面１４で設定できない機能には、通信モード、送信シート、時刻指定、およびＦコード通信の機能がある。
【００４４】
通信モードは、Ｇ３、スーパーＧ３、Ｇ４などの通信規格を表しており、送信シートは、送信する原稿に送付状を添付するか否かを表している。また、時刻指定は、送信する時刻を指定するか否かを表しており、Ｆコード通信は、暗証番号を知る相手のみが原稿をプリントする親展通信や、相手先に蓄積されている原稿を取り出せる掲示板機能などを利用するか否かを表している。一方、ワンタッチキー０００１，０００２に登録可能な機能のうち、簡単画面１４で設定できる機能には、原稿の画質がある。
【００４５】
【表１】
2011028329.tif 000003
【００４６】
ワンタッチキー０００１，０００２に登録した機能の設定値とデフォルト値（初期値）を以下に示す。表２は、ワンタッチキー０００１に登録した機能の設定値を表している。表２によれば、ワンタッチキー０００１には、簡単画面１４で設定できる機能として、原稿の画質（文字／写真）が登録されており、簡単画面１４で設定できない機能として、通信モード（Ｇ３）、送信シート（付ける）、時刻指定（8:00A.M.）、およびＦコード通信（する）が登録されている。また、簡単画面１４で設定できない機能のうち、送信シート（付ける）、時刻指定（8:00A.M.）、およびＦコード通信（する）の設定値は、デフォルト値と異なっている。
【００４７】
【表２】
2011028329.tif 000004
【００４８】
表３は、ワンタッチキー０００２に登録した機能の設定値を表している。表３によれば、ワンタッチキー０００２には、簡単画面１４で設定できる機能として、原稿の画質（文字）が登録されており、簡単画面１４で設定できない機能として、通信モード（Ｇ３）、送信シート（付けない）、時刻指定（9:00A.M.）、およびＦコード通信（しない）が登録されている。また、簡単画面１４で設定できない機能の設定値がデフォルト値と異なるものはない。
【００４９】
【表３】
2011028329.tif 000005
【００５０】
なお、表１〜表３のデータは、図１のシステムメモリ１２に記憶されている。これらのデータは、ワンタッチキー０００１，０００２の押下によって、メインＣＰＵ１３によって読み出される。メインＣＰＵ１３は、上記データに基づき、ワンタッチキー０００１，０００２に登録されている機能の少なくとも一部が簡単画面１４で設定できない機能を含んでいる場合、簡単画面１４で設定できない機能を簡単画面１４に表示するよう制御する。
【００５１】
一方、ワンタッチキー０００１，０００２に登録されている機能の少なくとも一部が簡単画面１４で設定できない機能を含んでいない場合、簡単画面１４で設定できない機能を簡単画面１４に表示せずに、簡単画面１４で設定できる機能の設定値の反映を簡単画面１４に対して行う。
【００５２】
また、メインＣＰＵ１３は、簡単画面１４で設定できない機能の設定値がそのデフォルト値と異なる場合に、簡単画面１４で設定できない機能を表示するよう制御する。なお、簡単画面１４で設定できない機能の設定値がそのデフォルト値と異なっていても、簡単画面１４で設定できない機能の設定値がワンタッチキー０００１，０００２の押下前の設定値と等しい場合には、簡単画面１４で設定できない機能を表示しないよう制御してもよい。
【００５３】
または、メインＣＰＵ１３は、まず、簡単画面１４で設定できない機能の設定値がワンタッチキー０００１，０００２の押下前の設定値と異なる場合に、簡単画面１４で設定できない機能を表示するよう制御してもよい。なお、簡単画面１４で設定できない機能の設定値がワンタッチキー０００１，０００２の押下前の設定値と異なっていても、簡単画面１４で設定できない機能の設定値がそのデフォルト値と等しい場合には、簡単画面１４で設定できない機能を表示しないよう制御してもよい。
【００５４】
以下、簡単画面１４で設定できない機能の表示例について説明する。図２の簡単画面１４がタッチパネル６に表示されているとき、図１のワンタッチキー０００１が押下されると、図３に示す簡単画面１４が表示される。図３は、簡単画面で設定できない機能を簡単画面に直接表示した図である。まず、メインＣＰＵ１３は、簡単画面１４に宛先（012-345-6789）と簡単画面１４で設定できる機能（原稿の画質）の設定値（文字／写真）を反映する。
【００５５】
また、ワンタッチキー０００１には、簡単画面１４で設定できない機能（通信モード、送信シート、時刻指定、Ｆコード通信）が登録されており、簡単画面１４で設定できない機能（送信シート、時刻指定、Ｆコード通信）の設定値（付ける、8:00A.M.、する）がそのデフォルト値（付けない、9:00A.M.、しない）と異なっているため、メインＣＰＵ１３は、簡単画面１４で設定できない機能（送信シート、時刻指定、およびＦコード通信）の設定値（付ける、8:00A.M.、する）を簡単画面１４に表示する。
【００５６】
または、図４に示すように、メインＣＰＵ１３は、別画面を表示するためのタブボタン１５を簡単画面１４に追加してもよい。図４は、別画面を表示するための釦を簡単画面に追加した図である。タブボタン１５は、ソフトウェアによる釦であり、タブボタン１５の押下によって、簡単画面１４で設定できない機能が別画面にまとめて表示される。なお、釦の形式は、タブ形式に限るものではなく、簡単画面１４内の任意の場所に設けたものでもよい。
【００５７】
図４のタブボタン１５が押下されると、メインＣＰＵ１３は、図５に示す別画面１６を表示する。図５は、簡単画面で設定できない機能を表示する別画面の一例を示す図である。別画面１６には、簡単画面１４で設定できない機能のうち、デフォルト値と異なるもの（送信シート、時刻指定、Ｆコード通信）がまとめて表示される。
【００５８】
また、別画面１６では、簡単画面１４で設定できない機能の設定変更を可能としてもよい。図６は、簡単画面で設定できない機能の設定変更が可能な別画面の一例を示す図である。図６に示すように、別画面１６には、簡単画面１４で設定できない機能を設定変更するための機能ボタン１７〜１９が追加される。機能ボタン１７〜１９の押下によって、簡単画面１４で設定できない機能の設定を変更する画面が表示される。なお、別画面１６で直接設定変更を行うように構成してもよい。
【００５９】
図６の時刻指定の機能ボタン１８が押下されると、メインＣＰＵ１３は、図７に示す設定変更画面２０を表示する。図７は、簡単画面で設定できない機能の設定を変更する画面の一例を示す図である。図７に示すように、設定変更画面２０には、時刻指定をするか否かの選択ボタン２１，２２が表示される。時刻指定をするボタン２２が押下されたとき、時刻を変更する時刻変更画面２３が表示される。
【００６０】
一方、図２の簡単画面１４がタッチパネル６に表示されているとき、ワンタッチキー０００２が押下されると、ワンタッチキー０００２には、簡単画面１４で設定できない機能（通信モード、送信シート、時刻指定、Ｆコード通信）が登録されているが、簡単画面１４で設定できない機能の設定値はそのデフォルト値と等しいため、メインＣＰＵ１３は、簡単画面１４で設定できない機能を表示せずに、簡単画面１４で設定できる機能（原稿の画質）の設定値（文字）の反映を行う。したがって、簡単画面１４で設定できない機能は、簡単画面１４に直接表示されないし、別画面１６を表示するためのタブボタン１５も簡単画面１４に追加されない。
【００６１】
（ファクシミリ装置の動作）
以下、ファクシミリ装置１の動作について説明する。図８は、ファクシミリ装置の動作を示すフローチャートである。このフローチャートを実行するプログラムは、図１のシステムメモリ１２に記憶されている。なお、このプログラムは、ＣＤＲＯＭ等の記憶媒体に格納して提供することも可能である。
【００６２】
まず、メインＣＰＵ１３は、タッチパネル６に簡単画面１４を表示する（ステップＳ１０）。このとき、ワンタッチキー０００１が押下されると（ステップＳ１１のＹｅｓ）、メインＣＰＵ１３は、ワンタッチキー０００１に登録されている宛先と簡単画面１４で設定できる機能（原稿の画質）のパラメータ（文字／写真）を簡単画面１４に反映する（ステップＳ１２）。
【００６３】
次に、メインＣＰＵ１３は、簡単画面１４で設定できない機能がワンタッチキー０００１に登録されているか否かを判断する（ステップＳ１３）。ワンタッチキー０００１には、簡単画面１４で設定できない機能が登録されており、簡単画面１４で設定できない機能の設定値がそのデフォルト値と異なっているため（ステップＳ１３のＹｅｓ）、短縮登録機能のタブボタン１５が簡単画面１４に追加される（ステップＳ１４）。短縮登録機能のタブボタン１５が押下された場合（ステップＳ１５のＹｅｓ）、別画面１６が表示される（ステップＳ１６）。
【００６４】
別画面１６内の任意の機能ボタン１７〜１９を押下すると（ステップＳ１７）、その機能ボタン１７〜１９に対応する設定変更画面２０が表示される（ステップＳ１８）。メインＣＰＵ１３は、機能パラメータの設定を変更すると（ステップＳ１９）、設定変更画面２０を閉じて（ステップＳ２０）、別画面１６の表示に戻る（ステップＳ１６）。
【００６５】
一方、ワンタッチキー０００２が押下された場合（ステップＳ２１のＹｅｓ）、メインＣＰＵ１３は、ワンタッチキー０００２に登録されている宛先と簡単画面１４で設定できる機能（原稿の画質）のパラメータ（文字）を簡単画面１４に反映する（ステップＳ１２）。
【００６６】
また、ワンタッチキー０００２には、簡単画面１４で設定できない機能が登録されているが、簡単画面１４で設定できない機能の設定値がそのデフォルト値と等しいため、ステップＳ１３でＮｏとなり、ステップＳ１０の簡単画面１４の表示に戻る。したがって、メインＣＰＵ１３は、簡単画面１４で設定できない機能を表示せずに、宛先と簡単画面１４で設定できる機能の設定値の反映を簡単画面１４に対して行う。
【００６７】
（第１の実施形態の優位性）
第１の実施形態によれば、簡単画面１４で設定できない機能が簡単画面１４に表示されるため、簡単画面１４で設定できないファクシミリ機能（画像送受信機能）を容易に確認することができる。
【００６８】
また、簡単画面１４で設定できない機能の設定が呼び出す前の設定やデフォルト値と異なる場合に、簡単画面１４で設定できない機能を確認することができる。
【００６９】
また、簡単画面１４で設定できない機能を別画面１６にまとめて表示し、簡単画面１４には、別画面１６を表示するタブボタン１５のみを追加するため、簡単画面１４の本来の利便性を損なうことがない。また、別画面１６では、簡単画面１４で設定できない機能の設定を変更することができる。
【００７０】
また、簡単画面１４で設定できない機能が呼び出されない場合、簡単画面１４で設定できない機能を表示せず、簡単画面１４で設定できる機能の設定値の反映を行うため、簡単画面１４の本来の利便性を損なうことがない。
【００７１】
２．第２の実施形態
以下、第１の実施形態の変形例について、図９および図１０を参照して説明する。図９は、画像読取装置の簡単画面を示す図である。画像読取装置の簡単画面１４では、一部の機能（読取画質、原稿の画質、および両面原稿送り）を設定可能である。読取画質は、図１の画像入力部４で読み取る画像の解像度であり、ｄｐｉ（dot per inch）で表される。原稿の画質および両面原稿送りの機能は、第１の実施形態で説明した機能と同様である。
【００７２】
一方、ワンタッチキー０００１には、簡単画面１４で設定できない機能も登録可能である。表４は、簡単画面１４で設定可能な機能と、ワンタッチキー０００１に登録可能な機能を示している。表４に示すように、ワンタッチキー０００１に登録可能な機能のうち、簡単画面１４で設定できない機能には、カラー／モノクロ、出力ファイル形式、ＰＣ保存、およびＥメール送信の機能がある。
【００７３】
カラー／モノクロは、カラーで読み取るか、モノクロで読み取るかを表しており、出力ファイル形式は、ＰＤＦ（Portable Document Format）、ＪＰＥＧ（Joint Photographic Experts Group）などの画像ファイルの形式を表している。また、ＰＣ保存は、ネットワークを介して接続するＰＣ（Personal Computer）に、画像データを保存するか否かを表しており、Ｅメール送信は、画像データをＥメール送信するか否かを表している。
【００７４】
【表４】
2011028329.tif 000006
【００７５】
表５は、ワンタッチキー０００１に登録した機能の設定値を表している。表５によれば、ワンタッチキー０００１には、簡単画面１４で設定できる機能として、原稿の画質（文字／写真）が登録されており、簡単画面１４で設定できない機能として、カラー／モノクロ（カラー）、出力ファイル形式（ＰＤＦ）、ＰＣ保存（しない）、Ｅメール送信（する）が登録されている。また、簡単画面１４で設定できない機能のうち、カラー／モノクロ（カラー）、Ｅメール送信（する）の設定値は、デフォルト値と異なっている。
【００７６】
【表５】
2011028329.tif 000007
【００７７】
以下、簡単画面１４で設定できない機能の表示例について説明する。図９の簡単画面１４がタッチパネルに表示されているとき、図１のワンタッチキー０００１が押下されると、図１０に示す簡単画面１４が表示される。図１０は、別画面を表示するためのタブボタンを簡単画面に追加した図である。まず、メインＣＰＵ１３は、簡単画面１４で設定できる機能（原稿の画質）の設定値（文字／写真）を反映する。
【００７８】
また、ワンタッチキー０００１には、簡単画面１４で設定できない機能（カラー／モノクロ、出力ファイル形式、ＰＣ保存、Ｅメール送信）が登録されており、簡単画面１４で設定できない機能（カラー／モノクロ、Ｅメール送信）の設定値（カラー、する）がそのデフォルト値（モノクロ、しない）と異なっているため、メインＣＰＵ１３は、短縮登録機能のタブボタン１５を簡単画面１４に追加する。図１０のタブボタン１５が押下されると、簡単画面１４で設定できない機能のうち、デフォルト値と異なるもの（カラー／モノクロ、Ｅメール送信）が別画面にまとめて表示される。
【００７９】
（第２の実施形態の優位性）
第２の実施形態によれば、簡単画面１４で設定できない画像読み取り機能を容易に確認することができる。
【００８０】
３．第３の実施形態
以下、第１の実施形態の変形例について、図１１および図１２を参照して説明する。図１１は、複写装置の簡単画面を示す図である。複写装置の簡単画面１４では、一部の機能（用紙サイズ、複写倍率、および複写濃度）を設定可能である。用紙サイズは、複写する用紙のサイズであり、自動の場合には、原稿のサイズと同等のものが選択される。複写倍率は、原稿のサイズと複写する用紙のサイズとの比率を表しており、複写濃度は、複写する際に用いるトナーの濃度を表している。
【００８１】
一方、ワンタッチキー０００１には、簡単画面１４で設定できない機能も登録可能である。表６は、簡単画面１４で設定可能な機能と、ワンタッチキー０００１に登録可能な機能を示している。表６に示すように、ワンタッチキー０００１に登録可能な機能のうち、簡単画面１４で設定できない機能には、とじしろ、原稿の画質、ページ連写、およびＮアップの機能がある。
【００８２】
とじしろは、複写する用紙にとじしろを設定するか否かを表している。原稿の画質は、第１の実施形態の機能と同様である。また、ページ連写は、１枚の原稿を複数ページに分割して複写するか否かを表しており、Ｎアップは、複数枚の原稿を１ページにまとめて複写するか否かを表している。
【００８３】
【表６】
2011028329.tif 000008
【００８４】
表７は、ワンタッチキー０００１に登録した機能の設定値を表している。表７によれば、ワンタッチキー０００１には、簡単画面１４で設定できる機能として、複写倍率（Ｂ５→Ａ４）、複写濃度（濃い）が登録されており、簡単画面１４で設定できない機能として、とじしろ（あり）、原稿の画質（文字）、ページ連写（しない）、Ｎアップ（２ページ）が登録されている。また、簡単画面１４で設定できない機能のうち、とじしろ（あり）、Ｎアップ（２ページ）の設定値は、デフォルト値と異なっている。
【００８５】
【表７】
2011028329.tif 000009
【００８６】
以下、簡単画面１４で設定できない機能の表示例について説明する。図１１の簡単画面１４がタッチパネルに表示されているとき、図１のワンタッチキー０００１が押下されると、図１２に示す簡単画面１４が表示される。図１２は、別画面を表示するためのタブボタンを簡単画面に追加した図である。まず、メインＣＰＵ１３は、簡単画面１４で設定できる機能（複写倍率、複写濃度）の設定値（Ｂ５→Ａ４、濃い）を反映する。
【００８７】
また、ワンタッチキー０００１には、簡単画面１４で設定できない機能（とじしろ、原稿の画質、ページ連写、Ｎアップ）が登録されており、簡単画面１４で設定できない機能（とじしろ、Ｎアップ）の設定値がそのデフォルト値と異なっているため、メインＣＰＵ１３は、短縮登録機能のタブボタン１５を簡単画面１４に追加する。図１２のタブボタン１５の押下によって、簡単画面１４で設定できない機能のうち、デフォルト値と異なるもの（とじしろ、Ｎアップ）が別画面にまとめて表示される。
【００８８】
（第３の実施形態の優位性）
第３の実施形態によれば、簡単画面１４で設定できない複写機能を容易に確認することができる。
【００８９】
４．第４の実施形態
以下、第１の実施形態の変形例について説明する。表８は、ワンタッチキー０００１に登録した機能の設定値を表している。ワンタッチキー０００１には、デフォルト値と異なる機能だけが登録されている。
【００９０】
【表８】
2011028329.tif 000010
【００９１】
以下、簡単画面１４で設定できない機能の表示例について説明する。図２の簡単画面１４がタッチパネル６に表示されているとき、図１のワンタッチキー０００１が押下されると、図３に示す簡単画面１４が表示される。まず、メインＣＰＵ１３は、簡単画面１４に宛先（012-345-6789）と簡単画面１４で設定できる機能（原稿の画質）の設定値（文字／写真）を反映する。
【００９２】
また、ワンタッチキー０００１には、簡単画面１４で設定できない機能（送信シート、時刻指定、Ｆコード通信）が登録されており、簡単画面１４で設定できない機能（送信シート、時刻指定、Ｆコード通信）の設定値（付ける、8:00A.M.、する）がワンタッチキー０００１の押下前の設定値（付けない、9:00A.M.、しない）と異なっているため、メインＣＰＵ１３は、簡単画面１４で設定できない機能（送信シート、時刻指定、Ｆコード通信）の設定値（付ける、8:00A.M.、する）を簡単画面１４に表示する。
【００９３】
（第４の実施形態の優位性）
第４の実施形態によれば、ワンタッチキー０００１には、デフォルト値と異なる機能だけが登録されているため、簡単画面１４で設定できない機能の設定がワンタッチキー０００１で呼び出す前の設定と異なる場合に、簡単画面１４で設定できない機能を確認することができる。
【産業上の利用可能性】
【００９４】
本発明は、ファクシミリ装置、画像読取装置、複写装置、およびこれらの複合機等を備える情報処理装置に用いることができる。
【符号の説明】
【００９５】
１…ファクシミリ装置、２…操作パネル、３…コントローラ、４…画像入力部、５…通信部、６…タッチパネル（表示手段）、７…パネルＩ／Ｆ、８…入力部Ｉ／Ｆ、９…出力部Ｉ／Ｆ、１０…システムメモリ、１１…初期値記憶部、１２…システムメモリ（記憶手段）、１３…メインＣＰＵ（画面制御手段）、１４…簡単画面、１５…タブボタン（釦）、１６…別画面、１７〜１９…機能ボタン、２０…設定変更画面、２１，２２…選択ボタン、２３…時刻変更画面、０００１，０００２…ワンタッチキー（呼出手段）。
【図１】
2011028329.tif 000011
【図２】
2011028329.tif 000012
【図３】
2011028329.tif 000013
【図４】
2011028329.tif 000014
【図５】
2011028329.tif 000015
【図６】
2011028329.tif 000016
【図７】
2011028329.tif 000017
【図８】
2011028329.tif 000018
【図９】
2011028329.tif 000019
【図１０】
2011028329.tif 000020
【図１１】
2011028329.tif 000021
【図１２】
2011028329.tif 000022